【事件の表示】
　平成９年特許願第６１９５１号「電子部品装着装置における部品供給装置」拒絶査定不服審判事件〔平成１０年９月１１日出願公開、特開平１０−２４２６８９〕について、次のとおり審決する。
【結　論】
　本件審判の請求は、成り立たない。
【理　由】
１．手続の経緯・本願発明
　本願は、平成９年２月２８日の出願であって、本願の請求項１〜４に係る発明は、平成１５年１１月１１日付けと平成１６年２月６日付けの手続補正書によって補正された明細書の、特許請求の範囲の請求項１〜４に記載された事項によって特定されるものであるところ、その請求項１に係る発明は、次のとおりのもの（以下、請求項１に係る発明を「本願発明」という。）と認める。
　「それぞれがトレイを介して多数個の電子部品を搭載した複数個のパレットを、装着装置本体に選択的に臨ませることで、複数種の電子部品を当該装着装置本体に供給する電子部品装着装置における部品供給装置において、
　被装着対象物である複数種の基板に部品供給可能な多数個のパレットをストックするパレットストッカと、
　単一種の基板に部品供給可能な複数個のパレットを収容すると共に、当該複数個のパレットを前記装着装置本体に選択的に臨ませるパレット供給手段と、
　前記パレットストッカおよび前記パレット供給手段の相互間で前記パレットを移送するパレット移送手段とを備えたことを特徴とする電子部品装着装置における部品供給装置。」
　
２．引用刊行物およびその記載事項
　これに対して、原査定の拒絶の理由に引用された、本願の出願前に日本国内において頒布された特開平３−１４１６９７号公報（以下、「引用例」という。）には「トレー自動供給装置」に関して、第１〜３図とともに以下の記載がある。
　Ａ）「この発明は、部品の入ったトレーを複段状に多数収容自在な小型のトレーユニットを有し、この小型のトレーユニットより上記トレーを順次部品装着装置側へ送り出すトレー自動供給装置において、
　上記小型のトレーユニットに、部品の入ったトレーを複段状に多数収容自在な大型のトレーユニットを少なくとも１つ連設し、この大型のトレーユニットと上記小型のトレーユニットとの間で上記トレーを相互に受け渡し自在に配設したことにより、
　上記部品装着装置側へ小型のトレーユニットより高速かつ連続的にトレーを送り出して部品を供給することができると共に、装置の稼働中でも大型のトレーユニットを介してトレーの補給及び次ぎの他機種への段取り換えを容易に行うことができるようにしたものである。」（第１頁右下欄２〜１８行）
　Ｂ）「第１，２図において、１はトレー自動供給装置（トレーチェンジェー）であり、その装置本体２内の前側に、ＩＣの電子部品等の部品６の入ったトレー７を複段状に多数（例えば１５段）収容自在に構成されると共に、上記トレー７を順次部品装着装置９側へ送り出す小型のトレーユニット１０と、上記トレー７を複段状に多数（例えば５０段）収容自在に構成されると共に、上記小型のトレーユニット１０との間で上記トレー７を相互に受け渡し自在に配設された大型のトレーユニット２０とを備えている。
　前記小型のトレーユニット１０は、上記トレー７を載せて運ぶ矩形のパレット８を挾むように上下動させる一対のボールスクリュー１１，１１と、この一対のボールスクリュー１１，１１の一方の上部にベルト１２を掛け渡して該一方のボールスクリュー１１を回動させるＤＣサーボモータ１３とを備えていて、・・・この一対のボールスクリュー１１，１１間には、上下方向に所定間隔を隔てて例えば１５段の上記パレット８をそれぞれ挾持して上下動させることができるようになっている。
　また、上記一対のボールスクリュー１１，１１の所定高さ位置には、上記各パレット８上に載せられたトレー７を順次上記部品装着装置９側に送り出したり、空になったトレー７をパレット８を介して上記一対のボールスクリュー１１，１１の所定高さ位置側に送り戻したりする搬送手段１５を併設してある。この搬送手段１５は、ＤＣサーボモータ１６により回動する一対のベルト１７，１７を有しており、このベルト１７に突設した図示しないフック等により、上記パレット８を引っ掛けて、上記一対のボールスクリュー１１，１１と上記部品装着装置９との間で上記パレット８を相互に受け渡し自在にしてある。」（第２頁左下欄１２行〜第３頁左上欄１１行）
　Ｃ）「前記大型のトレーユニット２０は、上記小型のトレーユニット１０に用いられる上記パレット８を挾むように上下動させる一対のボールスクリュー２１，２１と、・・・ＤＣサーボモータ２３とを備えていて、・・・この一対のボールスクリュー２１，２１間には、上下方向に所定間隔を隔てて例えば５０段の上記パレット８をそれぞれ挾持して上下動させることができるようになっている。
　また、上記一対のボールスクリュー２１，２１と上記一対のボールスクリュー１１，１１間の前記搬送手段１５と略同一高さの位置には、上記各パレット８上に載せられたトレー７を順次上記小型のトレーユニット１０側に送り出したり、空になったトレー７をパレット８を介して上記一対のボールスクリュー２１，２１の所定高さ位置側に送り戻したりする搬送手段２５を介在してある。」（第３頁左上欄１２行〜右上欄１４行）
　Ｄ）「以上実施例のトレー自動供給装置１によれば、通常は小型のトレーユニット１０から部品装着装置９に搬送手段１５を介してトレー７を載せたパレット８を搬送して、トレー７に入ったＩＣ等の部品６が高速で供給される。そして、小型のトレーユニット１０で空のトレー７が生じた場合、そのトレー７は搬送手段１５，２５を介して自動的に大型のトレーユニット２０に排出される。代わりに、搬送手段２５を介して同品種の部品６が入ったトレー７が大型のトレーユニット２０から小型のトレーユニット１０に自動的に供給される。この際に、作業者は、トレー自動供給装置１の稼働中でも自由に大型のトレーユニット２０内の空のトレー７を交換して部品６の入ったトレー７に入れ換えることが可能である。また、他のプリント基板への段取り換え時にも、前もって大型のトレーユニット２０内に他の部品が入ったトレー７をセットしておくことが可能となる。」（第３頁左下欄１５行〜右下欄１２行）
　
　上記Ａ）〜Ｄ）の記載からみて、上記引用例記載のトレー自動供給装置は、それぞれがトレー７を介して電子部品６を搭載した複数個のパレット８を、部品装着装置９に選択的に臨ませることで、複数種の電子部品６を当該部品装着装置９に供給する電子部品装着装置におけるトレー自動供給装置１において、基板に部品供給可能な多数個のパレット８をストックする大型のトレーユニット２０と、同じく基板に部品供給可能な複数個のパレット８を収容すると共に、当該複数個のパレット８を一対のボールスクリュー１１，１１によって部品装着装置９に選択的に臨ませる、小型のトレーユニット１０とを備えたものであって、前記大型のトレーユニット２０と小型のトレーユニット１０との間には、相互間で前記パレット８を移送する搬送手段２５が備えられているものと認められる。
　また、このようなトレー自動供給装置１のパレット８が、トレー７を介して多数個の電子部品６を搭載していることは自明であるとともに、大型のトレーユニット２０が、例えば５０段という大容量のものである以上、そこにストックされるパレット８が、被装着対象物である複数種の基板に部品供給可能な多数個のものであることは当然である。
　したがって、上記引用例には、
　「それぞれがトレー７を介して多数個の電子部品６を搭載した複数個のパレット８を、部品装着装置９に選択的に臨ませることで、複数種の電子部品６を当該部品装着装置９に供給する電子部品装着装置におけるトレー自動供給装置１において、
　被装着対象物である複数種の基板に部品供給可能な多数個のパレット８をストックする大型のトレーユニット２０と、
　基板に部品供給可能な複数個のパレット８を収容すると共に、当該複数個のパレット８を前記部品装着装置９に選択的に臨ませる小型のトレーユニット１０と、
　前記大型のトレーユニット２０および前記小型のトレーユニット１０の相互間で前記パレット８を移送する搬送手段２５とを備えた電子部品装着装置におけるトレー自動供給装置。」の発明（以下、「引用例記載の発明」という。）が記載されているものと認める。
　
３．本願発明と引用例記載の発明との対比
　本願発明と引用例記載の発明とを対比すれば、引用例記載の発明の「トレー７」は本願発明の「トレイ」に対応しており、以下同様に、引用例記載の発明の「部品装着装置９」は本願発明の「装着装置本体」に、「トレー自動供給装置１」は「部品供給装置」に、「大型のトレーユニット２０」は「パレットストッカ」に、「小型のトレーユニット１０」は「パレット供給手段」に、「搬送手段２５」は「パレット移送手段」に、それぞれ対応している。
　したがって、本願発明と引用例記載の発明は、
 「それぞれがトレイを介して多数個の電子部品を搭載した複数個のパレットを、装着装置本体に選択的に臨ませることで、複数種の電子部品を当該装着装置本体に供給する電子部品装着装置における部品供給装置において、
　被装着対象物である複数種の基板に部品供給可能な多数個のパレットをストックするパレットストッカと、
　基板に部品供給可能な複数個のパレットを収容すると共に、当該複数個のパレットを前記装着装置本体に選択的に臨ませるパレット供給手段と、
　前記パレットストッカおよび前記パレット供給手段の相互間で前記パレットを移送するパレット移送手段とを備えた電子部品装着装置における部品供給装置。」
　である点で一致し、以下の相違点で相違しているものと認める。
　＜相違点＞
　本願発明のパレット供給手段は、単一種の基板に部品供給可能な複数個のパレットを収容しているのに対し、引用例記載の発明のパレット供給手段である小型のトレーユニット１０は、基板に部品供給可能な複数個のパレット８を収容してはいるものの、それら複数個のパレット８が単一種の基板に部品供給可能なものであるか否かは明らかでない点。
　
４．相違点の検討
　電子部品装着装置の部品供給装置において、部品供給部に、製造する単一種の基板に対応する部品を予め揃えておくことは周知技術（例えば、特開平３−１９２００６号公報、特開平８−４６３８８号公報参照）である。
　してみれば、引用例記載の発明において、部品装着装置９に選択的に電子部品を供給する部品供給部として機能している小型のトレーユニット１０に、製造する単一種の基板に部品供給可能な複数個のパレットを予め揃えておくようにすることは、引用例記載の発明に上記周知技術を適用することにより、当業者が容易に行い得たものである。
　
　そして、本願発明が奏する作用効果は、上記引用例記載の発明と上記周知技術に示唆された事項から予測される程度以上のものではない。
　したがって、本願発明は、上記引用例記載の発明と上記周知技術に基づいて当業者が容易に発明をすることができたものである。
　
５．むすび
　以上詳述したとおり、本願の請求項１に係る発明（本願発明）は、上記引用例記載の発明と上記周知技術に基づいて当業者が容易に発明をすることができたものであるから、特許法第２９条第２項の規定により特許を受けることができない。そして、このような進歩性を有しない発明を包含する本願は、特許請求の範囲の請求項２〜４に係る発明について検討するまでもなく拒絶すべきものである。
　よって、結論のとおり審決する。